(57)【特許請求の範囲】
【請求項１】
少なくとも底面がほぼ平坦に形成されたベースプレートと、上記ベースプレートの上面側に取り付けられるカバープレートとを含み、内部にマイクロホンユニットが収納されているバウンダリーマイクロホンにおいて、
上記マイクロホンユニットに単一指向性マイクロホンユニットが用いられ、上記ベースプレートもしくは上記カバープレートのいずれか一方に、上記単一指向性マイクロホンユニットの指向性を狭指向性とする音響管として作用する管状溝が形成されており、上記カバープレートは、周縁部が上記管状溝の周りで上記ベースプレートの上面にネジ止めされる音を通さない板材からなり、上記カバープレートの周縁部と上記ベースプレートの上面との間には、上記管状溝の内部と外気とを薄空気層による音響抵抗を介して連通する撥水性の薄膜材からなるスペーサが上記管状溝の全周を囲むように配置されていることを特徴とするバウンダリーマイクロホン。
【請求項２】
上記薄膜材として、多数の微少凸部を有する合成樹脂製のエンボスフィルムが用いられることを特徴とする請求項１に記載のバウンダリーマイクロホン。
【請求項３】
上記カバープレートの周縁部と上記ベースプレートの上面とには撥水処理が施されていることを特徴とする請求項１または２に記載のバウンダリーマイクロホン。
【請求項４】
上記薄膜材は、上記カバープレートの周縁部をネジ止めする際に掛けられる圧力によって厚み方向に変形可能であり、上記ネジ止め圧にて上記薄空気層による音響抵抗が調整可能であることを特徴とする請求項１ないし３のいずれか１項に記載のバウンダリーマイクロホン。
【請求項５】
上記管状溝の後端側に上記単一指向性マイクロホンユニットが配置され、上記薄膜材のうち、上記管状溝の前端側に配置される一部分の幅が他の部分に配置される幅よりも狭くされていることを特徴とする請求項１ないし４のいずれか１項に記載のバウンダリーマイクロホン。
【請求項６】
上記管状溝が、上記ベースプレート側に形成されていることを特徴とする請求項１ないし５のいずれか１項に記載のバウンダリーマイクロホン。
【請求項７】
上記管状溝が、上記カバープレート側に形成されていることを特徴とする請求項１ないし５のいずれか１項に記載のバウンダリーマイクロホン。
【発明の詳細な説明】
【技術分野】
【０００１】
本発明は、テーブルや床面等に置いて使用される全体として扁平なバウンダリーマイクロホンに関し、さらに詳しく言えば、狭指向性のバウンダリーマイクロホンに関するものである。
【背景技術】
【０００２】
バウンダリーマイクロホンは、全体の形状が扁平であることから、面状マイクロホン、サーフェイスマウントマイクロホンとも呼ばれ、例えば会議室のテーブルや床面等に置いて使用される。
【０００３】
バウンダリーマイクロホンには、多くの場合、無指向性のマイクロホンユニットが用いられているが、比較的音源から離れた位置であっても良好に収音できるようにするため、狭指向性が求められる場合がある。
【０００４】
その場合には、バウンダリーマイクロホンに、単一指向性マイクロホンユニットに音響管を取り付けた狭指向性のマイクロホンが搭載される。この種の音響管を有する狭指向性マイクロホンでは、音響管の管壁に例えばスリット状の開口部（側部音波導入開口部）を設け、その側部音波導入開口部に音響抵抗材を取り付けて音波を音響管内に取り込んでいる。
【０００５】
ところで、バウンダリーマイクロホンは、スタンド式マイクロホンや手持ち用マイクロホン等に比べて液体（例えば、コップの転倒によりこぼれた飲料水等）がかけられることが多い。
【０００６】
音響管を有する狭指向性マイクロホンにおいて、音響管の側部音波導入開口部に取り付けられる音響抵抗材には、通常、不織布や網体等が用いられているが、これに液体がしみこむと湿潤して指向特性が変わってしまう等の不具合が生ずる。
【０００７】
この点に関し、例えば特許文献１，２には、バウンダリーマイクロホンのベースプレートとカバープレート（パンチングメタル製）との接合部や、カバープレートに撥水処理を施すことが提案されている。
【０００８】
しかしながら、多量の液体がかけられた場合には、その一部が内部に浸入し、音響管の音響抵抗材にしみこむおそれがあるため、音響管を有する狭指向性マイクロホンを使用するバウンダリーマイクロホンにおいては、音響管についてより確実な防水（耐水）対策が必要となる。
【先行技術文献】
【特許文献】
【０００９】
【特許文献１】特開２００６−１０１３１４号公報
【特許文献２】特開２００８−２８８９３３号公報
【発明の概要】
【発明が解決しようとする課題】
【００１０】
したがって、本発明の課題は、音響管を有する狭指向性マイクロホンを使用する狭指向性のバウンダリーマイクロホンにおいて、外部から浸入する液体から特に音響管を保護することにある。
【課題を解決するための手段】
【００１１】
上記課題を解決するため、本発明は、少なくとも底面がほぼ平坦に形成されたベースプレートと、上記ベースプレートの上面側に取り付けられるカバープレートとを含み、内部にマイクロホンユニットが収納されているバウンダリーマイクロホンにおいて、
上記マイクロホンユニットに単一指向性マイクロホンユニットが用いられ、上記ベースプレートもしくは上記カバープレートのいずれか一方に、上記単一指向性マイクロホンユニットの指向性を狭指向性とする音響管として作用する管状溝が形成されており、上記カバープレートは、周縁部が上記管状溝の周りで上記ベースプレートの上面にネジ止めされる音を通さない板材からなり、上記カバープレートの周縁部と上記ベースプレートの上面との間には、上記管状溝の内部と外気とを薄空気層による音響抵抗を介して連通する撥水性の薄膜材からなるスペーサが上記管状溝の全周を囲むように配置されていることを特徴としている。
【００１２】
本発明の好ましい態様によると、上記薄膜材として、多数の微少凸部を有する合成樹脂製のエンボスフィルムが用いられる。
【００１３】
また、耐水性をより高めるうえで、上記カバープレートの周縁部と上記ベースプレートの上面とにさらに撥水処理が施されていることが好ましい。
【００１４】
また、上記薄空気層による音響抵抗を調整可能とするうえで、上記薄膜材は、上記カバープレートの周縁部をネジ止めする際に掛けられる圧力によって厚み方向に変形可能であることが好ましい。
【００１５】
また、指向性をより鋭くするうえで、上記管状溝の後端側に上記単一指向性マイクロホンユニットが配置されるとして、上記薄膜材のうち、上記管状溝の前端側に配置される一部分の幅が他の部分に配置される幅よりも狭くされていることが好ましい。
【００１６】
本発明には、上記管状溝が上記ベースプレート側に形成されている態様と、上記カバープレート側に形成されている態様とが含まれる。
【発明の効果】
【００１７】
本発明によれば、カバープレートの周縁部とベースプレートの上面との間の隙間（側部音波導入開口部）から音響管に相当する管状溝内に音波が取り込まれるが、側部音波導入開口部の音響抵抗を撥水性の薄膜材からなるスペーサにて形成される薄空気層による音響抵抗としているため、外部からバウンダリーマイクロホン内に液体が浸入したとしても、側部音波導入開口部に液体がしみこむことがなく、狭指向特性が悪化することがない。
【図面の簡単な説明】
【００１８】
【図１】本発明の第１実施形態に係るバウンダリーマイクロホンを示す平面図。
【図２】上記第１実施形態に係るバウンダリーマイクロホンの分解斜視図。
【図３】図１のＡ−Ａ線に沿った断面図。
【図４】図１のＢ−Ｂ線に沿った断面図。
【図５】本発明の実施形態で使用されるエンボスフィルムの一部分を示す拡大斜視図。
【図６】本発明の第２実施形態に係るバウンダリーマイクロホンを示す分解斜視図。
【図７】図６のＣ−Ｃ線に沿った断面図。
【発明を実施するための形態】
【００１９】
次に、図１ないし図７を参照して、本発明の第１および第２実施形態について説明するが、本発明はこれに限定されるものではない。
【００２０】
まず、図１ないし図５により、第１実施形態に係るバウンダリーマイクロホン１Ａについて説明すると、このバウンダリーマイクロホン１Ａは、基本的な構成として、ベースプレート１０と、カバープレート２０と、マイクロホンユニット３０とを備えている。
【００２１】
ベースプレート１０は、例えば会議室のテーブルや床面等に安定して置かれることを意図して、ある程度の重量を有する金属もしくは硬質合成樹脂材よりなり、少なくとも底面１０ａは平坦に形成されている。図示しないが、底面１０ａの例えば四隅にゴムパッドが取り付けられてよい。
【００２２】
このバウンダリーマイクロホン１Ａは、狭指向性のバウンダリーマイクロホンであることから、マイクロホンユニット３０には、音響管４０を有する単一指向性マイクロホンユニット３１が用いられるが、この第１実施形態では、ベースプレート１０に管状溝４１を形成して音響管４０としている。
【００２３】
図２に示されているように、管状溝４１は、細長く直線的に延びる長円形もしくは長方形の溝であり、その一端（音源から見て後端）側に単一指向性マイクロホンユニット３１が収納される。
【００２４】
カバープレート２０は、音を通さない無孔の板材からなり、管状溝４１の上面を覆うようにしてベースプレート１０の上面１０ｂに取り付けられる。管状溝４１は、その上面をカバープレート２０によって覆われることにより音響管４０として機能する。カバープレート２０の材質は金属、合成樹脂のいずれであってもよい。
【００２５】
カバープレート２０は、その周縁部２０ａが管状溝４１の周りで複数本のネジ２１によってベースプレート１０の上面１０ｂにネジ止めされるが、本発明によると、カバープレート２０の周縁部２０ａとベースプレート１０の上面１０ｂとの間に、撥水性（疏水性）を有する薄膜材５０からなるスペーサが介装される。
【００２６】
図５を参照して、上記スペーサとして用いられる疏水性を有する薄膜材５０には、例えば少なくとも一方の面に多数の微細な凸部５２を有するフッソ樹脂フィルム５１（エンボスフィルム）が好ましく採用される。この種のエンボスフィルムを例示すれば、中興化成工業社製の品番ＡＳＦ−１１９Ｔエンボスタイプがある。
【００２７】
薄膜材５０は、表面に多数の微細な円柱状凸部５２が設けられているため、その面が挟まれたとしても、面方向には通気性を有する。なお、面方向に通気性を有しさえすれば、凸部５２は必ずしも円柱形状である必要はなく、リブ状の凸部であってもよい。
【００２８】
薄膜材５０は、図２に示すように、細長いテープ状として管状溝４１の全周を囲むように配置される。これにより、図４の拡大図に示すように、薄膜材５０のスペーサー機能により、カバープレート２０の周縁部２０ａとベースプレート１０の上面１０ｂとの間に隙間Ｇが確保され、この隙間Ｇより管状溝４１内に音波が取り込まれる。
【００２９】
すなわち、上記隙間Ｇは、従来の音響管の管壁に設けられている例えばスリット状の音波を取り込む開口部（側部音波導入開口部）に相当するが、本発明において、側部音波導入開口部に必要とされる音響抵抗として、不織布等による音響抵抗ではなく、上記隙間Ｇに存在する薄空気層による音響抵抗を用いる。
【００３０】
エンボスフィルムからなる薄膜材５０は、厚み方向に変形（伸縮）可能であるため、ネジ２１によるネジ止め圧によって、上記隙間Ｇの間隔を調整すること、すなわち薄空気層による音響抵抗値を調整することもできる。
【００３１】
なお、薄膜材５０は、上記のように管状溝４１の全周にわたって配置されるが、薄膜材５０のうち、管状溝４１の前端４０ｂ側（単一指向性マイクロホンユニット３１が収納される一端（後端）とは反対側の端部）に配置される一部分５０ａの幅を他の部分に配置される幅よりも狭くして、当該部分の音響抵抗値を他の部分の音響抵抗値よりも小さくすることにより、狭指向性をより鋭い指向性とすることができる。
【００３２】
また、耐水性をより高めるうえで、少なくともカバープレート２０の周縁部２０ａおよびベースプレート１０の上面１０ａに、例えばＰＴＦＥ（ポリテトラフルオロエチレン）系あるいはシリコン系の撥水処理を施すことが好ましい。
【００３３】
上記第１実施形態に係るバウンダリーマイクロホン１Ａでは、音響管４０を構成する管状溝４１をベースプレート１０側に形成しているが、図６，図７に示す第２実施形態に係るバウンダリーマイクロホン１Ｂのように、カバープレート２０側に管状溝４１を形成してもよい。第２実施形態において、カバープレート２０側に管状溝４１を形成する以外の構成は、上記第１実施形態と同じであってよい。
【００３４】
上記第１および第２実施形態のいずれにしても、カバープレート２０の周縁部２０ａとベースプレート１０の上面１０ｂとの間に、例えばエンボスフィルムからなる疏水性を有する薄膜材５０により、従来の音響管の側部音波導入開口部に相当する隙間Ｇが確保され、その隙間Ｇから音響管として作用する管状溝内に音波が取り込まれるが、隙間Ｇ（側部音波導入開口部）に必要とされる音響抵抗として、隙間Ｇ内に存在する薄空気層による音響抵抗を用いるようにしたことにより、外部からバウンダリーマイクロホン内に液体が浸入したとしても、側部音波導入開口部に液体がしみこむことがなく、狭指向特性が悪化することがない、という効果が奏される。
【符号の説明】
【００３５】
１Ａ，１Ｂ  バウンダリーマイクロホン
１０  ベースプレート
１０ｂ  ベースプレートの上面
２０  カバープレート
２０ａ  カバープレートの周縁部
２１  ネジ
３０  マイクロホンユニット
３１  単一指向性マイクロホンユニット
４０  音響管
４１  管状溝
４１ａ  管状溝の後端
４１ｂ  管状溝の前端
５０  薄膜材（エンボスフィルム）
Ｇ  隙間
【図１】
0006595310.tif 000002
【図２】
0006595310.tif 000003
【図３】
0006595310.tif 000004
【図４】
0006595310.tif 000005
【図５】
0006595310.tif 000006
【図６】
0006595310.tif 000007
【図７】
0006595310.tif 000008